(57)【要約】【課題】  本発明は植物の葉や花の形状や、その色通りに転写状態で染め絵を描くことができるとともに、誰でもが楽な作業で、容易にでき、カルチャー教室の教材にでもできる植物の染め絵用キャンバスおよび植物の染め絵の作成方法を得るにある。【解決手段】  吸水性に優れた、あるいは吸水性に優れ、かつ表面に微細な凹凸が形成された紙、布、板、石膏板、素焼体等の植物の染め絵を描くことができる染め絵用キャンバス本体と、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とで植物の染め絵用キャンバスを構成している。【選択図】  図１
2005153479.tif 000002
【特許請求の範囲】
【請求項１】
吸水性に優れた、あるいは吸水性に優れ、かつ表面に微細な凹凸が形成された、紙、布、板、石膏板、素焼体等の植物の染め絵を描くことができる染め絵用キャンバス本体と、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とからなることを特徴とする植物の染め絵用キャンバス。
【請求項２】
吸水性に優れた、あるいは吸水性に優れ、かつ表面に微細な凹凸が形成された、紙、布、板、石膏板、素焼体等の植物の染め絵を描くことができる染め絵用キャンバス本体と、この染め絵用キャンバス本体の裏面に設けた吸水しづらい紙、あるいは合成樹脂シート等の植物の色素の浸透阻止材と、前記染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とからなることを特徴とする植物の染め絵用キャンバス。
【請求項３】
平坦あるいは表面に微細な凹凸が形成された、植物のペーハーに影響をおよぼすような水溶性成分を含まない綿布やレーヨン、ナイロン、アクリル等の繊維で形成された繊維紙あるいは繊維布で形成されていることを特徴とする植物の染め絵用キャンバス。
【請求項４】
平坦あるいは表面に微細な凹凸が形成された、植物のペーハーに影響をおよぼすような水溶性成分を含まない綿布やレーヨン、ナイロン、アクリル等の繊維で形成された繊維紙あるいは繊維布で形成された染め絵用キャンバス本体と、この染め絵用キャンバス本体の裏面に貼着固定された台紙とからなることを特徴とする植物の染め絵用キャンバス。
【請求項５】
吸水性に優れた紙、布、板、石膏板、素焼体等の植物の染め絵を描くことができる染め絵用キャンバス本体、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とからなる植物の染め絵用キャンバスの染め絵を描く部位の表面にメッシュシートを配置するメッシュシート配置工程と、このメッシュシート配置工程後にメッシュシートの上面に染め絵を描く、植物の葉や花を配置する植物の配置工程と、この植物の配置工程後に植物の上面に樹脂シートで覆うカバー工程と、このカバー工程後にヘラや押し圧ローラを用いて前記樹脂シートを押し圧し、植物をメッシュシートに押し付け、該植物の色素を流出させて前記植物の染め絵用キャンバスの染め絵用キャンバス本体に付着させて染め絵を描く染め絵の描き工程と、この染め絵の描き工程後に植物の染め絵用キャンバス上に位置する樹脂シート、植物、メッシュシートを除去する除去工程と、この除去工程後に少なくとも染め絵が描かれた部位の染め絵用キャンバスの表面にポリエステル樹脂、アクリル樹脂、シリコン樹脂、ポリエチレン樹脂等の変色あるいは消えるのを防止する防止樹脂材を染み込ませる防止樹脂材染み込ませ工程とを含むことを特徴とする植物の染め絵の作成方法。
【請求項６】
吸水性に優れ、かつ表面に微細な凹凸が形成された紙、布、板、石膏板、素焼体等の植物の染め絵を描くことができる染め絵用キャンバス本体、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とからなる植物の染め絵用キャンバスの染め絵を描く部位の上面に、染め絵を描く植物の葉や花を配置する植物の配置工程と、この植物の配置工程後に植物の上面に樹脂シートで覆うカバー工程と、このカバー工程後にヘラや押し圧ローラを用いて前記樹脂シートを押し圧し、植物を前記染め絵用キャンバス本体に押し付け、該植物の色素を流出させて染め絵用キャンバス本体に付着させて染め絵を描く染め絵の描き工程と、この染め絵の描き工程後に植物の染め絵用キャンバス上に位置する樹脂シート、植物を除去する除去工程と、この除去工程後に少なくとも染め絵が描かれた部位の染め絵用キャンバスの表面にポリエステル樹脂、アクリル樹脂、シリコン樹脂、ポリエチレン樹脂等の、変色あるいは消えるのを防止する防止樹脂材を染み込ませる防止樹脂材染み込ませ工程とを含むことを特徴とする植物の染め絵の作成方法。
【請求項７】
吸水性に優れた、紙、布、板、石膏板、素焼体等の植物の染め絵を描くことができる染め絵用キャンバス本体、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とからなる植物の染め絵用キャンバスの染め絵を描く部位の表面にメッシュシートを配置するメッシュシート配置工程と、このメッシュシート配置工程後に、メッシュシートの上面に染め絵を描く植物の葉や花を配置する植物の配置工程と、この植物の配置工程後に植物の上面に吸水性を有する薄い吸水シートで覆う吸水シート配置工程と、この吸水シート配置工程後に吸水シートの上面を透明あるいは半透明の樹脂シートで覆うカバー工程と、このカバー工程後にヘラや押し圧ローラを用いて前記樹脂シートを押し圧し、植物をメッシュシートに押し付け、該植物の色素を流出させて前記植物の染め絵用キャンバスの染め絵用キャンバス本体に付着させて染め絵を描く染め絵の描き工程と、この染め絵の描き工程後に植物の染め絵用キャンバス上に位置する樹脂シート、吸水シート、植物、メッシュシートを除去する除去工程と、前記除去工程後に弱酸性からアルカリ性の溶液を染め絵が描かれた部位に塗布して、染め絵をより自然に近い色に発色させる発色工程と、この発色工程後に少なくとも染め絵が描かれた部位の染め絵用キャンバスの表面にポリエステル樹脂、アクリル樹脂、シリコン樹脂、ポリエチレン樹脂等の、変色あるいは消えるのを防止する防止樹脂材を染み込ませる防止樹脂材染み込ませ工程とを含むことを特徴とする植物の染め絵の作成方法。
【請求項８】
吸水性に優れ、かつ表面に微細な凹凸が形成された紙、布、板、石膏板、素焼体等の植物の染め絵を描くことができる染め絵用キャンバス本体、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とからなる植物の染め絵用キャンバスの、染め絵を描く部位の上面に染め絵を描く植物の葉や花を配置する植物の配置工程と、この植物の配置工程後に植物の上面に吸水性を有する薄い吸水シートで覆う吸水シート配置工程と、この吸水シート配置工程後に吸水シートの上面を透明あるいは半透明の樹脂シートで覆うカバー工程と、このカバー工程後にヘラや押し圧ローラを用いて前記樹脂シートを押し圧し、植物を前記染め絵用キャンバス本体に押し付け、該植物の色素を流出させて染め絵用キャンバス本体に付着させて染め絵を描く染め絵の描き工程と、この染め絵の描き工程後に植物の染め絵用キャンバス上に位置する樹脂シート、吸水シート、植物を除去する除去工程と、前記除去工程後に弱酸性からアルカリ性の溶液を染め絵が描かれた部位に塗布して、染め絵をより自然に近い色に発色させる発色工程と、この発色工程後に少なくとも染め絵が描かれた部位の染め絵用キャンバスの表面にポリエステル樹脂、アクリル樹脂、シリコン樹脂、ポリエチレン樹脂等の変色あるいは消えるのを防止する防止樹脂材を染み込ませる防止樹脂材染み込ませ工程とを含むことを特徴とする植物の染め絵の作成方法。
【発明の詳細な説明】
【技術分野】
【０００１】
本発明は植物の葉や花の色素を転写状態で付着させることができる植物の染め絵用キャンバスおよび植物の染め絵の作成方法に関する。
【背景技術】
【０００２】
従来、綿や麻等の布地に植物の葉や花を位置させ、金槌で植物の葉や花をたたいて、該植物の葉や花の色素を布地に付着させる染め絵が行なわれている。
【０００３】
従来の植物の染め絵は、植物の葉や花を金槌でたたいて綿や麻等の布地に植物の葉や花の色素をうつすため、布地に葉や花の形状通りにうつすことが難しく、きれいな染め絵を作成しづらいという欠点があった。
また、裏面に凹凸のある綿や麻等の布地にしか染め絵を施すことができないという欠点があった。
【特許文献１】特になし
【発明の開示】
【発明が解決しようとする課題】
【０００４】
本発明は以上のような従来の欠点に鑑み、植物の葉や花の形状や、その色通りに転写状態で染め絵を描くことができるとともに、誰でもが楽な作業で、容易にでき、カルチャー教室の教材にでもできる植物の染め絵用キャンバスおよび植物の染め絵の作成方法を提供することを目的としている。                    
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は吸水性に優れた、あるいは吸水性に優れ、かつ表面に微細な凹凸が形成された紙、布、板、石膏板、素焼体等の植物の染め絵を描くことができる染め絵用キャンバス本体と、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とで植物の染め絵用キャンバスを構成している。
【０００７】
また、本発明は吸水性に優れた紙、布、板、石膏板、素焼体等の植物の染め絵を描くことができる染め絵用キャンバス本体、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とからなる植物の染め絵用キャンバスの染め絵を描く部位の表面にメッシュシートを配置するメッシュシート配置工程と、このメッシュシート配置工程後にメッシュシートの上面に染め絵を描く、植物の葉や花を配置する植物の配置工程と、この植物の配置工程後に植物の上面に吸水性を有する薄い吸水シートで覆う吸水シート配置工程と、この吸水シート配置工程後に吸水シートの上面を透明あるいは半透明の樹脂シートで覆うカバー工程と、このカバー工程後にヘラや押し圧ローラを用いて前記樹脂シートを押し圧し、植物をメッシュシートに押し付け、該植物の色素を流出させて前記植物の染め絵用キャンバスの染め絵用キャンバス本体に付着させて染め絵を描く染め絵の描き工程と、この染め絵の描き工程後に植物の染め絵用キャンバス上に位置する樹脂シート、吸水シート、植物、メッシュシートを除去する除去工程と、この除去工程後に少なくとも染め絵が描かれた部位の染め絵用キャンバスの表面にポリエステル樹脂、アクリル樹脂、シリコン樹脂、ポリエチレン樹脂等の変色あるいは消えるのを防止する防止樹脂材を染み込ませる防止樹脂材染み込ませ工程とで植物の染め絵の作成方法を構成している。
【発明の効果】
【０００８】
以上の説明から明らかなように、本発明にあっては次に列挙する効果が得られる。
【０００９】
（１）吸水性に優れた、あるいは吸水性に優れ、かつ表面に微細な凹凸が形成された紙、布、板、石膏板、素焼体等の植物の染め絵を描くことができる染め絵用キャンバス本体、この染め絵用キャンバス本体がＰＨ１．０〜ＰＨ５．０になるように含浸させたＤＬ−リンゴ酸、ＤＬ−リンゴ酸ナトリウム、フイチン酸、クエン酸等のいずれか、あるいはこれらを２個以上混合したペーハー設定溶液とからなるので、植物の葉や花の発色がよい状態で染め絵用キャンバス本体に転写状態で付着させることができる。
したがって、きれいな植物の染め絵を描くことができる。
【００１０】
（２）前記（１）によって、植物の染め絵を描くと、きわめて植物の色素であるアントシアンやフラボンの発色がよいとともに、酸化等による黒ずみや変色を防止することができる。
【００１１】
（３）前記（１）によって、ペーハー設定溶液で染め絵用キャンバス本体をＰＨ１．０〜ＰＨ５．０になるように含浸させるだけでよいので、加工が容易で、比較的安価に製造することができる。
【００１２】
（４）請求項２も前記（１）〜（３）と同様な効果が得られる。
【００１３】
（５）請求項３、４も前記（１）、（２）と同様な効果が得られる
【００１４】
（６）請求項５は、前記（１）〜（３）と同様な効果が得られるとともに、ヘラやローラ等で植物の葉や花をメッシュシートに押し圧して、植物の葉や花に傷をつけ、色素を流出させることができる。
したがって、効率よく植物の葉や花の色素を流出させて、染め絵される物に付着させることができる。
【００１５】
（７）前記（６）によって、メッシュシートによって植物の葉や花がヘラやローラ等での押し圧によって分解しても、メッシュシートを外す時にメッシュシート
に付着した状態で除去できる。
したがって、染め絵されるものに付着するのを効率よく阻止でき、よりきれいな染め絵を作成することができる。
【００１６】
（８）請求項６は、前記（６）、（７）と同様な効果が得られる。
【００１７】
（９）請求項７は、前記（１）〜（３）、（６）、（７）と同様な効果が得られるとともに、植物の葉や花の上部を吸水シートと樹脂シートで覆ってヘラで押し圧するので、ヘラやローラ等での押し圧時に樹脂シートが移動しないように行なうことにより、植物の葉や花の移動を効率よく阻止でき、転写状態で植物の葉や花の形状そのままに、色素を染め絵される物に付着させることができる。
【００１８】
（１０）前記（９）によって、吸水シートを用いるので、植物の葉や花から必要以上に出る色素を吸収して、染め絵がぼけるのを効率よく阻止することができるとともに、吸水シートに吸水されることにより、植物の葉や花の輪郭が判断でき、ヘラやローラの押し圧操作を調整することができ、きれいな染め絵を作成することができる。
【００１９】
（１１）請求項８は、前記（９）、（１０）と同様な効果が得られる。
【発明を実施するための最良の形態】
【００２０】
以下、図面に示す本発明を実施するための最良の形態より、本発明を詳細に説明する。
【００２１】
図１ないし図１０に示す本発明を実施するための最良の第１の形態において、１は本発明の植物の染め絵用キャンバスで、この植物の染め絵用キャンバス１は画用紙等の紙を用いた染め絵用キャンバス本体２と、この染め絵用キャンバス本体２が長期間ＰＨを一定に保つことができるＰＨ１．０〜ＰＨ５．０、好もしくはＰＨ２．５〜ＰＨ３．５になるように含浸させたＤＬ−リンゴ酸、ＤＬ−リンゴ酸ナトリウム、フイチン酸、クエン酸等のいずれか、あるいはこれらを２個以上混合したペーハー設定溶液３とで構成されている。
【００２２】
このように構成された植物の染め絵用キャンバス１を用いて染め絵を描く場合、
図４に示すように植物の染め絵用キャンバス１の染め絵を描く部位の表面に０．数ｍｍ〜数ｍｍ程度の大きさのメッシュのメッシュシート４を配置するメッシュシート配置工程５と、このメッシュシート配置工程５後に、図５に示すようにメッシュシート４の上面に染め絵を描く植物の葉６や花７を配置する植物の配置工程８と、この植物の配置工程８後に、図６に示すように植物の上面に吸水性を有するティシュペーパー、トイレットペーパー等の薄い吸水シート９で覆う吸水シート配置工程１０と、この吸水シート配置工程１０後に、図７に示すように吸水シート９の上面を透明あるいは半透明の樹脂シート１１で覆うカバー工程１２と、
このカバー工程１２後に、図８に示すようにヘラ１３や押し圧ローラを用いて前記樹脂シート１１をずれないように押し圧し、植物の葉６や花７をメッシュシート４に押し付け、該植物の色素を流出させて前記植物の染め絵用キャンバス１の染め絵用キャンバス本体２に付着させて染め絵１４を描く染め絵の描き工程１５と、この染め絵の描き工程１５後に、図９に示すように植物の染め絵用キャンバス１上に位置する樹脂シート１１、吸水シート９、植物の葉６や花７をメッシュシート４を除去する除去工程１６と、この除去工程１６後に図１０に示すように、少なくとも染め絵１４部位の植物の染め絵用キャンバス１の表面にポリエステル樹脂、アクリル樹脂、シリコン樹脂、ポリエチレン樹脂等の変色あるいは消えるのを防止する防止樹脂材１７を染み込ませる防止樹脂材染み込ませ工程１８とを用いて植物の染め絵の作成方法で行なう。
【００２３】
このような植物の染め絵用キャンバス１を用いた植物の染め絵の作成方法で植物の染め絵を描いた場合、染め絵用キャンバス本体２がＰＨ１．０〜ＰＨ５．０、好もしくはＰＨ２．５〜ＰＨ３．５に設定されているため、植物の葉６や花７の色素の発色がよい状態で、転写状態で植物の染め絵用キャンバス１に描くことができる。
また、植物の色素であるアントシアンやフラボンの発色がよく、酸化等による黒ずみや変色を効率よく防止できる。
[発明を実施するための異なる形態]
【００２４】
次に、図１１ないし図２７に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２５】
図１１ないし図１３に示す本発明を実施するための第２の形態において、前記本発明を実施するための最良の第１の形態と主に異なる点は、染め絵用キャンバス本体２の裏面に吸水しづらい紙１９を貼着固定した点で、このように構成した植物の染め絵用キャンバス１Ａを用いても、前記本発明を実施するための最良の第１の形態と同様な作用効果が得られる。
なお、吸水しづらい紙１９に代え、合成樹脂シートを貼着したり、紫外線や熱で硬化する樹脂材を塗布してシート状となるようにしたものを用いてもよい。
【００２６】
図１４ないし図１６に示す本発明を実施するための第３の形態において、前記本発明を実施するための第２の形態と主に異なる点は、吸水性に優れた布、板、石膏板、素焼体等、本発明の実施の形態では布を用いた植物の染め絵を描くことができる染め絵用キャンバス本体２Ａを用いた点で、このような染め絵用キャンバス本体２Ａを用いて構成した植物の染め絵用キャンバス１Ｂを用いても、前記本発明を実施するための第２の形態と同様な作用効果が得られる。
【００２７】
図１７および図１８に示す本発明を実施するための第４の形態において、前記本発明を実施するための最良の第１の形態と主に異なる点は、除去工程１６後に弱酸性からアルカリ性の重曹や炭酸ソーダ等の溶液２０を染め絵１４が描かれた部位に筆等を用いて塗布して、染め絵をより自然に近い色に発色させる発色工程２１を行なった点で、このような発色工程２１を用いた植物の染め絵の作成方法を行なっても、前記本発明を実施するための最良の第１の形態と同様な作用効果が得られる。
【００２８】
図１９ないし図２１に示す本発明を実施するための第５の形態において、前記本発明を実施するための最良の第１の形態と主に異なる点は、吸水性に優れ、かつ表面に微細な凹凸２２が形成された紙、布、板、石膏板、素焼体等、本発明の実施の形態では紙を用いた染め絵用キャンバス本体２Ｂを用いた植物の染め絵用キャンバス１Ｃを使用するとともに、該染め絵用キャンバス１Ｃの染め絵を描く部位の上面に、染め絵を描く植物の葉６や花７を配置する植物の配置工程８Ａ、カバー工程１２、染め絵の描き工程１５、除去工程１６および防止樹脂材染み込ませ工程１８とを行なった点で、このような植物の染め絵用キャンバス１Ｃを用い、メッシュシートを用いない植物の染め絵の作成方法を行なっても、前記本発明を実施するための最良の第１の形態と同様な作用効果が得られる。
【００２９】
図２２ないし図２４に示す本発明を実施するための第６の形態において、前記本発明を実施するための第５の形態と主に異なる点は、植物の配置工程８Ａとカバー工程１２との間に吸水シート９で植物の上面を覆う吸水シート配置工程１０を行なった点で、このような吸水シート配置工程１０を介装した植物の染め絵の作成方法を行なっても、前記本発明を実施するための第５の形態と同様な作用効果が得られるとともに、染め絵の描き工程１５で植物の色素が必要以上に流出した場合に、吸水シート９で吸水してきれいな染め絵を描くことができる。
【００３０】
図２５ないし図２７に示す本発明を実施するための第７の形態において、前記本発明を実施するための最良の第１の形態と主に異なる点は、植物の色素が染まりやすく、かつ植物のペーハーに影響をおよぼすような水溶性成分を含まないレーヨン、ナイロン、アクリル等の化学繊維紙あるいは化学繊維布を用いた植物の染め絵用キャンバス１Ｄを用いてメッシュシート配置工程５Ａを行なった点で、このような工程を用いて植物の染め絵の作成方法を行なっても、前記本発明を実施するための最良の第１の形態と同様な作用効果が得られるとともに、植物の染め絵１４が描かれた植物の染め絵用キャンバス１Ｄを平面や立体形状の装飾体２３の表面に透明なシリコン樹脂等の植物のペーハーに影響をおよぼさない透明樹脂２４を用いて貼り付けると、植物の染め絵用キャンバス１Ｄを水に漬けると透明に見えるのと同様に、透明に近い状態になり、美しく仕上げることができる。
なお、植物の染め絵用キャンバス１Ｄの表面にも貼着用のシリコン樹脂等を塗布してもよい。
本発明の実施の形態では染め絵用キャンバス１Ｄとして、酸化防止加工を施したもの、酸性処理や定着剤処理を施したもの、裏面に台紙を貼着させたもの、表面に微細な凹凸を形成してメッシュシートを使用しなくてもよい形状に加工したものや、植物のペーハーに影響をおよぼさない綿布やその他の材質の布地や紙を用いてもよい。
【００３１】
なお、前記本発明を実施するための各形態で、メッシュシートあるいは染め絵用キャンバスの上面に配置される植物の葉６は裏面を、花７は表面を位置させて行なうと、大半の植物は効率よく色素を流出させることができる。
また、前記本発明を実施するための形態では植物の配置工程８、８Ａ後に、植物の上面に吸水性を有するティシュペーパー、トイレットペーパー等の薄い吸水シート９で覆う吸水シート配置工程１０と、この吸水シート配置工程１０後に吸水シート９の上面を透明あるいは半透明の合成樹脂シート１１で覆うカバー工程１２を用いるものについて説明したが、本発明はこれに限らず、吸水シート配置工程１０を用いない方法や、透明あるいは半透明の合成樹脂シート１１以外の樹脂シートを使用するカバー工程１２を用いてもよい。
さらに、本発明を実施するための形態では、平坦あるいは微細な凹凸が形成された紙や布に堅牢度を高めるために媒染液を含浸させた染め絵用キャンバスを用いてもよい。
また、前記本発明を実施するための各形態での防止樹脂材染み込ませ工程１８後にガラスとアルミで台紙をサンドイッチし、その中に乾燥剤や脱酸素剤を入れて密封する密封工程を行なっても良い。
【産業上の利用可能性】
【００３２】
本発明は植物の葉や花の色素を転写状態で付着させることができる植物の染め絵用キャンバスを製造する産業で利用されるとともに、植物の染め絵の作成方法を教えるカルチャー教室等の教育産業で利用される。
【図面の簡単な説明】
【００３３】
【図１】本発明を実施するための最良の第１の形態の斜視図。
【図２】本発明を実施するための最良の第１の形態のペーハー設定溶液を含浸させる説明図。
【図３】本発明を実施するための最良の第１の形態の工程図。
【図４】本発明を実施するための最良の第１の形態のメッシュシート配置工程の説明図。
【図５】本発明を実施するための最良の第１の形態の植物の配置工程の説明図。
【図６】本発明を実施するための最良の第１の形態の吸水シート配置工程の説明図。
【図７】本発明を実施するための最良の第１の形態のカバー工程の説明図。
【図８】本発明を実施するための最良の第１の形態の染め絵の描き工程の説明図。
【図９】本発明を実施するための最良の第１の形態の除去工程の説明図。
【図１０】本発明を実施するための最良の第１の形態の防止樹脂材染み込ませ工程の説明図。
【図１１】本発明を実施するための第２の形態の斜視図。
【図１２】本発明を実施するための第２の形態の説明図。
【図１３】図１１の１３−１３線に沿う断面図。
【図１４】本発明を実施するための第３の形態の斜視図。
【図１５】本発明を実施するための第３の形態の説明図。
【図１６】図１４の１６−１６線に沿う断面図。
【図１７】本発明を実施するための第４の形態の工程図。
【図１８】本発明を実施するための第４の形態の発色工程の説明図
【図１９】本発明を実施するための第５の形態の工程図。
【図２０】本発明を実施するための第５の形態の染め絵用キャンバスの説明図。
【図２１】本発明を実施するための第５の形態の植物の配置工程の説明図。
【図２２】本発明を実施するための第６の形態の工程図。
【図２３】本発明を実施するための第６の形態の植物の配置工程の説明図。
【図２４】本発明を実施するための第６の形態の吸水シート配置工程の説明図。
【図２５】本発明を実施するための第７の形態の工程図。
【図２６】本発明を実施するための第７の形態の植物の染め絵用キャンバスの斜視図。
【図２７】本発明を実施するための第７の形態の植物の染め絵の取付け状態の説明図。
【符号の説明】
【００３４】
１、１Ａ、１Ｂ、１Ｃ、１Ｄ：植物の染め絵用キャンバス、
２、２Ａ、２Ｂ：染め絵用キャンバス本体、、
３：ペーハー設定溶液、        ４：メッシュシート、
５、５Ａ：メッシュシート配置工程、
６：葉、                      ７：花、
８、８Ａ：植物の配置工程、    ９：吸水シート、
１０：吸水シート配置工程、    １１：樹脂シート、
１２：カバー工程、            １３：ヘラ、
１４：染め絵、                １５：染め絵の描き工程、
１６：除去工程、              １７：防止樹脂材、
１８：防止樹脂材染み込ませ工程、
１９：吸水しづらい紙、        ２０：溶液、
２１：発色工程、              ２２：微細な凹凸、
２３：装飾体、                ２４：透明樹脂。
【図１】
2005153479.tif 000003
【図２】
2005153479.tif 000004
【図３】
2005153479.tif 000005
【図４】
2005153479.tif 000006
【図５】
2005153479.tif 000007
【図６】
2005153479.tif 000008
【図７】
2005153479.tif 000009
【図８】
2005153479.tif 000010
【図９】
2005153479.tif 000011
【図１０】
2005153479.tif 000012
【図１１】
2005153479.tif 000013
【図１２】
2005153479.tif 000014
【図１３】
2005153479.tif 000015
【図１４】
2005153479.tif 000016
【図１５】
2005153479.tif 000017
【図１６】
2005153479.tif 000018
【図１７】
2005153479.tif 000019
【図１８】
2005153479.tif 000020
【図１９】
2005153479.tif 000021
【図２０】
2005153479.tif 000022
【図２１】
2005153479.tif 000023
【図２２】
2005153479.tif 000024
【図２３】
2005153479.tif 000025
【図２４】
2005153479.tif 000026
【図２５】
2005153479.tif 000027
【図２６】
2005153479.tif 000028
【図２７】
2005153479.tif 000029